(57)【要約】      （修正有）【課題】資材等の合理化を図り工期の短縮を実施することで建築原価の低減をする。【解決手段】壁パネル１とコーナー壁パネル２の左右竪枠材１０、１１を連結接続させ下部接続材６を介して、壁パネル１及びコーナー壁パネル２の下部の横枠材１２を接続させて、床パネル３を下部接続材６の長短桁材２４に固着し、長短桁材２４をコンクリート基礎９に固着する。又壁パネル１の上部の横枠材１２と、中間接続材７の下部を連結させ、中間接続材７の上部内側に床パネル３を組合わせ、この上に屋根パネル５を固定して、中間接続材７の上部外側にパラペットパネル４の下部の横枠材１２とに接続させてなる。【選択図】図１
0003110856.tif 000002
【実用新案登録請求の範囲】
【請求項１】
建築基準法に定められた建築用壁材の構造を左右の竪枠材と、上下横枠材の外面部を４分の１づつカットした部材を枠組として、その両面に壁下地合板を固着し、左竪枠材及び上下横枠材のカット側センターの数箇所に、固着用通し穴を設け、右竪枠材のカット側センターの数箇所に固着用止め穴にセット器具を埋込んで、壁パネルとして形成させ各パネルと噛み合い固着可能とした構造で、他種用パネルとは下部接続材、中間接続材を介して上下に合体させ、家屋の骨格材として、壁パネル、床パネルで構成し、副部材として屋根下地パネル、と屋根周りのパラペットパネルで、家屋の組立てが出来る柱及び梁無し建築工法。
【請求項２】
各パネルの接合部分は外面からは固着のための通し穴を設け、ナット状のセット器具を埋込み固着する。又接続材を介して固着させる方法は外面より、市販部品のボルトによって固着接合する構造としボルト頭及びボルトがパネル内部に収まるようにした、請求項１の柱及び梁無し建築工法。
【請求項３】
各パネルの接合部分には通気防止材を押溝に取付けた、請求項１の柱及び梁無し建築工法
【請求項４】
各パネル内部に断熱材を充填しパネル両面に平板を取付けた構造とし、建築各設備の配管等を内臓させた、柱及び梁無し建築工法。
【請求項５】
パネル組立てに使用される各部材に木炭塗料を塗布した、柱及び梁無し建築工法。
【考案の詳細な説明】
【技術分野】
【０００１】  本考案は一般家屋建築の合理化を図った建築工法に関する。
【背景技術】
【０００２】  従来の建築物の建築工法は大半、柱及び梁を主体に構成されている。最近になってツーバイ工法が伸展してきた。【０００３】  この工法により建築の壁材等は大型化されると共にユニット化も進み、柱を主体にした構造に大型パネルを張付ける方法が多くなってきた。これは各ハウスメーカーが建築部材を工場生産して合理化を図り建築原価の低減が目的となっている。この工法はアパート及びマンションといった集合住宅等の建築に適している。【０００４】  建築物のユニット化やパネルの大型化は大手住宅会社のみ可能で、一般住宅の場合特別建設コストが安いとはいえない。【０００５】  一般住宅については、現在でも柱及び梁で構成され、その種類も多いため建築工事が長期化して建築価格が割高となっている。
【考案の開示】
【０００６】  以上に述べた従来の建築工法の問題点は、建築用各部材が割高である事と、その構造が複雑のためによる工事期間が長期化となり、建築費用が増加する事。
【０００７】  本考案はこの様な従来から課題があったことを解決すべく、柱及び梁を使用せずパネルを主体とした組立式建築工法を利用して、資材等の合理化を図り工期の短縮を実施することで建築原価の低減を目的とするものである。
【課題を解決するための手段】
【０００８】  本考案は上記目的を達成するために、家屋建築部材中主構造材を、壁パネル、床パネル、コーナー壁パネル、の３種類に分類、又副構造材として、屋根下地パネル、パラペットパネル、下部接続材、中間接続材、の４種類に分類合計７種類の各部材の合理化を図り、家屋全体の構成を簡単にして、高度な建築技術を要求される事なく組立て可能となり、工事期間が大幅に短縮される事により工事原価が低減する。
【０００９】  上記問題を具体化するため上記の建築各部材を合理化するため、先ず壁パネルの骨組材の左右竪枠材及び上下横枠材の、接合可能な噛合わせ部を設けて、その骨組み両面に平板を固着したパネルを形成させて、家屋の組立てが容易にできる構造とした。
【００１０】  又上記以外の副構成材のパラペットパネル、屋根下地パネル、の各部接合部は壁パネルトと同様の方式であるが、その噛合わせ部分の骨組み材の取付け型を固定化して、壁パネル同志の連結は壁パネルの左右竪枠材の接合部を連結し、その他コーナー壁パネル以外は壁パネルの上下の接合部に下部及び中間接続材を介して、連結可能とした。
【００１１】  床パネルは長方形の箱型形状で腹部材をハニカム状として、下部及び中間接続材に取付ける構造となっている。その接続材の形状は中間が十字クロス型下部が逆さＴ型となっていて各種パネルとの接続を可能としている。これら固着接続するための部品は一般市販共通部品を使用し、家屋の組立ての簡易化を図り課題の解決に役立つものである。
【００１２】  上記以外の家屋建築の需要材は市販されている標準製品を利用するが、建築基準法にに適合したものを選定して、建築資材の仕入れ価格の低減を図るものである。
【考案の実施するための最良の形態】
【００１３】  以下本考案の実施の形態を図１〜図１２に基づいて説明する。
【００１４】  図１において壁パネル１で、家屋建築部材の主構造材で家屋の構成の最大の役割をしている。この壁パネル１とコーナー壁パネル２の左右竪枠材１０、１１を連結接続させ下部接続材６を介して、壁パネル１及びコーナー壁パネル２の下部の横枠材１２を接続させて、床パネル３を下部接続材６の長短桁材２４に固着し、長短桁材２４をコンクリート基礎９に固着する。又壁パネル１の上部の横枠材１２と、中間接続材７の下部を連結させ、中間接続材７の上部内側に床パネル３を組合わせ、この上に屋根パネル５を固定して、中間接続材７の上部外側にパラペットパネル４の下部の横枠材１２とに接続させてなる、柱及び梁無し建築工法の実施の形態である。
【００１５】  壁パネル１の構成は図２、図３、図４、の通り左竪枠材１０と右竪枠材１１を上部と下部の横枠材１２で固着し、その枠側面に内平板１３及び外平板１４を固着して一体化する。その組立ての形状は幅６００ｍｍ、高さ２５００ｍｍ、厚さ１００ｍｍ程度の大きさとして、手軽に持運びが出来る重さとして、家屋の大きさにより使用枚数をきめる。
【００１６】  コーナ壁パネル２の構成は図５の通り、壁パネル１の２枚の両端を９０度の４角形材の内側を加工した竪角枠材１７を設けて、固着した形状として、家屋の角面に壁パネル１のコーナーの連結用のコーナー壁パネルである。
【００１７】  床パネル３の構成は図６の通り、壁パネル１とは異なって左右の組合せ及び上下の取付けする接合箇所がなく、長方形の箱型となっており、腹竪枠材２０と腹横枠材２１の枠組みに、長手中央部に腹構材２２を取付け、上下枠にそれぞれ上平板材１８及び下平板材１９を固着した形状として、下部接続材６及び中間接続材７の上部パネル受材２５に接続される床パネル３である。
【００１８】  パラペットパネル４の構成は図７、図８、図９、の通り、壁パネル１を横型にした構造となっている。但し左右の接合部の左竪枠材１０及び右竪枠材１１の接合部は同じであるが、上下の横枠材１２の接合部が異なっており、パネルの中空部に竪構材２２が使用されていて、主に下部接続材６又は中間接続材７を介して家屋の上部と屋根パネル５に接続される、パラペットパネル４である。
【００１９】  屋根パネル５の構成は図１０の通り特別な構成でなく、通常の上部横構材２３と竪構材２２の角材を枠組みして、その表面に外平板１４を固着しパネル化する、その下部も上部同様の横構材２３と竪構材２２の角材を枠組み構造として、上部平板材１８のパネル部及びパネル枠を左右高さの異なった竪構材２２と横構材２３を組合せた連結竪枠を取付け箱状とした、屋根パネル５を形成させて、これを数個連結させ、その上部に屋根瓦又はトタン板を乗せて家屋を構成するもの。
【００２０】  以上各パネルの構造は上記の通りであるが、このパネル類を組合せるに必要な部材として、下部接続材６図１１及び中間接続材７図１２がある。これらの接続材の形状は、長短桁材２４を土台として、上部パネル受け台２５を上部に固着した形状になっているのが、下部接続材６で家屋のコンクリート基礎９と長短桁材２４を固着して、上部パネル受け台２５の内側に床パネル３を接合し、外側に壁パネル１を取付ける構造となっている。又中間接続材７は上部パネル受け台２５と下部パネル受け台２６が長短桁材２４の上下に固着されている形状となっている。これは下部パネル受け台２６に壁パネル１の下部を固着させ、上部パネル受け台２５とパラペットパネル４の下部を接合させる構造となっている。
【００２１】  上記の様な家屋の組立てに関する必要部材を合理化して、各部の組立てを簡素化する事により、建築工事の短縮が可能となり、工費の低減に効果を発揮するものである。
【図面の簡単な説明】
【００２２】
【図１】本考案の一実施例を示す家屋外観図の部分断面図
【図２】壁パネルの平面図
【図３】壁パネル図２におけるＡ−Ａ断面図
【図４】壁パネル図２におけるＢ−Ｂ断面図
【図５】コーナー壁パネルの外観図
【図６】床パネルの外観図
【図７】パラペットパネルの平面図
【図８】パラペットパネル図７におけるＡ−Ａ断面図
【図９】パラペットパネル図７におけるＢ−Ｂ断面図
【図１０】屋根パネルの外観図
【図１１】下部接続材の外観図
【図１２】中間接続材の外観図
【符号の説明】
【００２３】１    壁パネル
２    コーナー壁パネル
３    床パネル
４    パラペットパネル
５    屋根パネル
６    下部接続材
７    中間接続材
８    共通市販材
９    コンクリート基礎
１０  左竪枠材
１１  右竪枠材
１２  横枠材
１３  内平板材
１４  外平板材
１５  固着用止め穴
１６  固着用通し穴
１７  竪角枠材
１８  上平板材
１９  下平板材
２０  腹竪枠材
２１  腹横枠材
２２  竪構材
２３  横構材
２４  長短桁材
２５  上部パネル受け材
２６  下部パネル受け材
【図１】
0003110856.tif 000003
【図２】
0003110856.tif 000004
【図３】
0003110856.tif 000005
【図４】
0003110856.tif 000006
【図５】
0003110856.tif 000007
【図６】
0003110856.tif 000008
【図７】
0003110856.tif 000009
【図８】
0003110856.tif 000010
【図９】
0003110856.tif 000011
【図１０】
0003110856.tif 000012
【図１１】
0003110856.tif 000013
【図１２】
0003110856.tif 000014
【手続補正書】
【提出日】平成16年12月21日(2004.12.21)
【手続補正１】
【補正対象書類名】実用新案登録請求の範囲
【補正対象項目名】全文
【補正方法】変更
【補正の内容】
【実用新案登録請求の範囲】
【請求項１】
建築基準法に定められた建築用壁材の構造を左右の竪枠材と、上下横枠材の外面部を４分の１つづカットした部材を枠組として、その両面に壁下地合板を固着し、左竪枠材及び上下横枠材のカット側センターの数箇所に、固着用通し穴を設け、右竪枠材のカット側センターの数箇所に固着用止め穴セット器具を埋込んで、壁パネルとして形成させ各パネルと噛合い固着可能とした構造で、他種用パネルとは下部接続材、中間接続材を介して上下に合体させ、家屋の骨格材として、壁パネル、床パネルで構成し、副部材として屋根下地パネルと、屋根周りのパラペットパネルで、家屋の組立てが出来る事を特徴とした柱及び梁無し住宅。
【請求項２】
各パネルの接合部分は外面からは固着のため通し穴を設け、ナット状のセット器具を埋め込み固着する。又接続材を介して固着させる方法は外面より、市販部品のボルトによって固着接合する構造としボルト頭及びボルトがパネル内部に収まるようした、請求項１の柱及び梁無し住宅。
【請求項３】
各パネルの接合部分には通気防止材を押溝に取付けた、請求項１と請求項２の柱及び梁無し住宅。
【請求項４】
各パネル内部に断熱材を充填しパネル両面に平板を取付けた構造とし、建築各設備の配管等を内臓させた、請求項１、請求項２、請求項３の柱及び梁無し住宅。
【請求項５】
パネル組み立てに使用される各部材に木炭塗料を塗布した、請求項１、請求項２、請求項４の柱及び梁無し住宅。
【手続補正３】
【補正対象書類名】明細書
【補正対象項目名】０００１
【補正方法】変更
【補正の内容】
【０００１】本考案は一般家屋建築の合理化を計った住宅に関する。
【手続補正３】
【補正対象書類名】明細書
【補正対象項目名】０００２
【補正方法】変更
【補正の内容】
【０００２】従来の建築物の大半は柱及び梁を主体に構成されている。最近になってパネル式住宅が伸展してきた。
【手続補正４】
【補正対象書類名】明細書
【補正対象項目名】０００３
【補正方法】変更
【補正の内容】
【０００３】この種の住宅建築の壁材等は大型化されると共にユニット化も進み、柱を主体にした構造に大型バネルを張り付ける家屋が多くなってきた。これは各ハウスメーカーが建築部材を工場生産して合理化を図り建築原価の低減が目的となっている。このような建築はアパート及びマンションといった集合住宅の建築に適している。
【手続補正５】
【補正対象書類名】明細書
【補正対象項目名】０００６
【補正方法】変更
【補正の内容】
【０００６】以上に述べた従来の住宅の問題点は、建築用各部材が割高である事と、その構造が複雑のためによる工事期間が長期化となり、建築費用が増加する事である。
【手続補正６】
【補正対象書類名】明細書
【補正対象項目名】０００７
【補正方法】変更
【補正の内容】
【０００７】本考案はこの様な従来から課題があったことを解決すべく、柱及び梁を使用せずパネルを主体とした組立て式住宅建築を利用して、資材等の合理化を図り工期の短縮を実施することで建築原価の低減を目的とするものである。
【手続補正７】
【補正対象書類名】明細書
【補正対象項目名】００１４
【補正方法】変更
【補正の内容】
【００１４】図１において壁パネル１で家屋建築部材の主構造材で家屋の構成の最大の役割をしている。この壁パネル１とコーナー壁パネル２の左右竪枠材１０、１１を連結させ下部接続材６を介して、壁パネル１及びコーナー壁パネル２の下部の横枠材１２を接続させて、床パネル３を下部接続材６の長短桁材２４に固着し、長短桁材２４をコンクリート基礎９に固着する。また壁パネル１の上部の横枠材１２と、中間接続材７の下部を連結させ、中間接続材７の上部内側に床パネル３を組合わせ、この上に屋根パネル５を固定して、中間接続材７の上部外側にパラペットパネル４とその下部の横枠材１２に接続させてなる、柱及び梁無し住宅の実施の形態である。